(57)【特許請求の範囲】
【請求項１】
画像データを生成する生成手段と、
前記画像データのレベルを判定する判定手段と、
前記画像データにより表現される画像に画像処理装置に固有の情報を付加する付加手段と、
前記判定手段の判定結果に基づいて前記付加手段による付加を行うか否かを制御する制御手段と、
を備えることを特徴とする画像処理装置。
【請求項２】
前記制御手段は、前記判定手段の判定結果により前記画像データのレベルが所定の範囲内でないと判定された場合に、前記付加手段における情報の付加を禁止するように制御することを特徴とする請求項１記載の画像処理装置。
【請求項３】
前記制御手段は、前記判定手段により判定される前記画像データのレベルに応じて前記付加手段による付加を行う場合に、付加するパターンを制御することを特徴とする請求項１記載の画像処理装置。
【請求項４】
画像データを生成する生成手段と、
前記画像データのレベルを判定する判定手段と、
前記画像データにより表現される画像に画像処理装置の使用者に関する情報を付加する付加手段と、
前記判定手段の判定結果に基づいて前記付加手段による付加を行うか否かを制御する制御手段と、
を備えることを特徴とする画像処理装置。
【請求項５】
画像処理装置における画像処理方法であって、
画像データを生成する生成工程と、
前記画像データのレベルを判定する判定工程と、
前記画像データにより表現される画像に前記画像処理装置に固有の情報を付加する付加工程と、
前記判定工程の判定結果に基づいて前記付加工程における付加を行うか否かを制御する制御工程と、
を備えることを特徴とする画像処理方法。
【請求項６】
前記制御工程においては、前記判定工程における判定結果により前記画像データのレベルが所定の範囲内でないと判定された場合に、前記付加工程において情報の付加を行わないように制御することを特徴とする請求項５記載の画像処理方法。
【請求項７】
前記制御工程においては、前記判定工程において判定される前記画像データのレベルに応じて前記付加工程において付加を行う場合に、付加するパターンを制御することを特徴とする請求項５記載の画像処理方法。
【請求項８】
画像処理装置における画像処理方法であって、
画像データを生成する生成工程と、
前記画像データのレベルを判定する判定工程と、
前記画像データにより表現される画像に前記画像処理装置の使用者に関する情報を付加する付加工程と、
前記判定工程の判定結果に基づいて前記付加工程における付加を行うか否かを制御する制御工程と、
を備えることを特徴とする画像処理方法。
【請求項９】
出力画像に付加する画像処理装置に固有の情報を記憶する記憶手段と、
前記画像処理装置に固有の情報に従って、入力された２値画像信号を変調する第１の変調手段と、
前記２値画像信号に対して、前記変調を行った位置を示すマークを付加するための変調を行う第２の変調手段と、
前記２値画像信号から画像の濃度を判定する判定手段と、
前記濃度に基づいて、前記第１の変調手段及び前記第２の変調手段による変調を制御する制御手段と、
を備えることを特徴とする画像処理装置。
【請求項１０】
前記第１の変調手段及び前記第２の変調手段は、画像信号のドット位置を移動することによりドット相互の間隔を制御することを特徴とする請求項９記載の画像処理装置。
【請求項１１】
前記画像処理装置に固有の情報は、前記マークに対して線対称をなすことを特徴とする請求項９記載の画像処理装置。
【請求項１２】
画像データを生成する生成手段と、
前記画像データにより表現される画像に画像処理装置に固有の情報とチェック情報とを付加する付加手段とを有し、
前記チェック情報は、前記固有の情報を復元する場合に、復元された情報の信頼性を保証するための情報であることを特徴とする画像処理装置。
【請求項１３】
前記チェック情報は、誤り検出・訂正符号であることを特徴とする請求項１２記載の画像処理装置。
【請求項１４】
画像処理装置の制御方法であって、
画像データを生成する生成工程と、
前記画像データにより表現される画像に前記画像処理装置に固有の情報とチェック情報とを付加する付加工程とを有し、
前記チェック情報は、前記固有の情報を復元する場合に、復元された情報の信頼性を保証するための情報であることを特徴とする方法。
【請求項１５】
前記チェック情報は、誤り検出・訂正符号であることを特徴とする請求項１４記載の画像処理装置の制御方法。
【発明の詳細な説明】
【０００１】
【発明の属する技術分野】
本発明は、例えばフルカラープリンタやフルカラー複写装置、フルカラーファクシミリ装置などのフルカラー印字を行う画像形成装置に適用できる画像処理装置及びその方法に関するものである。
【０００２】
【従来の技術】
従来、カラー印字を行うための出力装置として、フルカラープリンタやフルカラー複写装置、フルカラーファクシミリ装置などが実用化されている。こうしたカラー画像形成装置が安価になるとともに、出力される画像の品位が向上するにつれて本来複写すべきでない原稿が複写されるということが問題になってきた。このため、近年、複写時に、例えば装置の製造番号を出力画像に付加しておいて、後に、必要に応じて出力画像から製造番号を確認し、装置を特定する方式が、本件出願人により提案されている。
【０００３】
【発明が解決しようとする課題】
しかしながら、上記従来例においては、余分な信号を出力画像に付加するため、付加した信号が元の画像に対して雑音として作用し、出力画像の画像品位が低下するという問題があった。このような問題は、特に画像形成が２値処理、すなわち、ディザ法や誤差拡散法などの疑似中間調処理によって行われる装置において顕著に現われており、この場合、画像劣化が目立ちやすいという欠点があった。
【０００４】
つまり、従来の装置では、余分な情報を付加する際、それが目立たないように濃度を調整することができないため、付加情報が画像中にノイズとして現れてしまい、出力画像の品質を損なう原因となっている。これは、装置使用者に付加情報が肉眼で見てとれることになり、好ましいことではない。本発明は、上述した従来例の欠点に鑑みてなされたものであり、その目的とするところは、付加情報の付加位置を明記し、その抽出を容易にできる画像処理装置及びその方法を提供する点にある。
【０００５】
【課題を解決するための手段】
上述した課題を解決し、目的を達成するため、本発明に係る画像処理装置は、画像データを生成する生成手段と、前記画像データのレベルを判定する判定手段と、前記画像データにより表現される画像に画像処理装置に固有の情報を付加する付加手段と、前記判定手段の判定結果に基づいて前記付加手段による付加を行うか否かを制御する制御手段とを備える。
【０００６】
また、本発明に係る画像処理方法は、画像データを生成する生成工程と、前記画像データのレベルを判定する判定工程と、前記画像データにより表現される画像に画像処理装置に固有の情報を付加する付加工程と、前記判定工程の判定結果に基づいて前記付加工程における付加を行うか否かを制御する制御工程とを備える。
【０００７】
【作用】
本発明に係る画像処理装置及びその方法によれば、画像データを生成し、前記画像データのレベルを判定し、前記画像データにより表現される画像に画像処理装置に固有の情報を付加し、前記判定手段の判定結果に基づいて前記付加手段による付加を行うか否かを制御するため、ドット画像に所定の情報を付加する際に、画質の劣化を防止する。
【０００８】
【発明の実施の形態】
以下に添付図面を参照して、本発明に係る好適な一実施形態を詳細に説明する。
【０００９】
＜第１の実施形態＞
本発明の第１の実施形態では、インクジェット出力方式のフルカラー複写装置を例に挙げて説明する。
【００１０】
図１は第１の実施形態のフルカラー複写装置における画像処理部の構成を示すブロック図である。同図において、１０１はＣＣＤラインセンサ、１０２はＡ／Ｄコンバータ、１０３はシェーディング補正回路、１０４は濃度変換回路、１０５はマスキング・ＵＣＲ回路、１０６はγ（ガンマ）補正回路、１０７は２値化回路、１０８はインクヘッド駆動回路（以下「駆動回路」という）、１０９−１〜１０９−４はインクを吐出するインクヘッド、１１０はイエローの濃度を判定する濃度判定回路、１１１は付加パターン生成回路、１１２は本装置全体を制御するＣＰＵ、１１３はＣＰＵ１１２が動作するためのプログラムを格納したＲＯＭ、１１４は各種プログラムのワークエリア及び各種パラメータの記憶エリアを有するＲＡＭ、１１５はＡＮＤゲート、１１６はＯＲゲートをそれぞれ示している。
【００１１】
以上の構成において、簡単に動作を説明する。図４は第１の実施形態による動作を説明するフローチャートである。以下の説明では、全体の制御をＣＰＵ１１２が受け持つが、個々の動作については、各回路で行われる。原稿を照射して得られる反射光はＣＣＤラインセンサ１０１で赤・緑・青（Ｒ・Ｇ・Ｂ）に色分解された電気信号に変換される（ステップＳ１）。ラインセンサ１０１と原稿とはラインセンサの走査する方向と直交する方向に相対的に移動することにより、原稿全面に渡って画像信号を得ることができる。画像信号はＡ／Ｄコンバータ１０２においてアナログ量からデジタル量に変換され（ステップＳ２）、シェーディング補正回路１０３にてＣＣＤラインセンサ１０１の走査方向における光量ムラ・感度ムラが補正される（ステップＳ３）。
【００１２】
その後、濃度変換回路１０４にて光の強弱を表す信号から濃度の大小を表す信号に変換され（ステップＳ４）、マスキング・ＵＣＲ回路１０５にて記録するインクの色であるシアン（Ｃ）・マゼンタ（Ｍ）・イエロー（Ｙ）・ブラック（Ｋ）の画像信号に変換され、色味の補正と下色除去が行われる（ステップＳ５）。続いて、γ補正回路１０６にて出力特性の非線型性を補正した上で２値化回路１０７において疑似中間調処理により２値データに変換される（ステップＳ６）。２値化回路１０７は公知の誤差拡散法に基づく２値化処理を行う（ステップＳ７）。２値化された画像信号は駆動回路１０８によりインクヘッド１０９−１〜１０９−４を駆動し、Ｃ，Ｍ，Ｙ，Ｋのそれぞれのインクを記録紙上に噴射してカラー出力画像を形成する。ここで、インクヘッド１０９−１〜１０９−４は、熱エネルギーによる膜沸騰を利用してインクを吐出するタイプのいわゆるバブルジェット（登録商標）方式のものを用いる。
【００１３】
イエロー（Ｙ）の画像信号については、２値化する前の多値データを濃度判定回路１１０へ入力し、所定の濃度範囲に納まっているか判定を行う（ステップＳ８）。この結果、所定範囲に入っていると判定されたならば、その判定信号によってＹ信号に装置固有の識別情報が付加され（ステップＳ９）、この修正された画像データに基づき、駆動回路１０８のインクヘッド１０９−１〜１０９−４の駆動によって、画像形成が行なわれる（ステップＳ１０）。
【００１４】
また所定範囲に入っていないと判定されたならば（ステップＳ９）、Ｙ信号に装置固有の識別情報が付加されず、駆動回路１０８でインクヘッド１０９−１〜１０９−４が駆動されて、画像形成が行なわれる（ステップＳ１０）。ここで、付加パターン生成回路１１１は、装置固有の識別情報（モデル名やシリアルナンバー等の付加情報）を予め格納している。付加パターン生成回路１１１は、この識別情報を符号化し、それを順次出力することによって、付加パターンの生成を行う。
【００１５】
図２は第１の実施形態による濃度判定回路１１０の構成を示すブロック図である。同図において、２０１−１、２０１−２は先入れ先出し(first in first out)メモリ（以下「ＦＩＦＯ」という）、２０２−１〜２０２−６はＤフリップフロプ、２０３は平均回路、２０４−１，２０４−２はレジスタ、２０５はウィンドウコンパレータをそれぞれ示している。
【００１６】
以上の構成による動作を簡単に説明する。入力されたイエロー（Ｙ）の画像信号は、ＦＩＦＯ２０１−１，２０１−２で２ライン分遅延されて、３ライン分のデータが同時進行の処理可能になる。この３ライン分のデータは、Ｄフリップフロプ２０２で１クロックずつ遅延されて、３×３画素の画像信号が得られる。この信号を平均回路２０３により平均することにより画像信号中のノイズを低減する。しかる後に、ウィンドウコンパレータ２０５により、レジスタ２０４−１，２０４−２にそれぞれ設定されている上限値と下限値との間に画像データが収まっているかどうかを判定し、その判定結果を出力する。
【００１７】
ここで、ウィンドウコンパレータ２０５では、上記上限値と下限値との間に収まっているという判定結果が得られた場合、付加パターン生成回路１１１の信号をイエロー（Ｙ）の画像信号として付加するために、アンドゲート１１５に真（“１”）の判定結果を出力し、または、収まっていないという判定結果が得られた場合には、上記信号の付加をしないために、アンドゲート１１５に偽（“０”）の判定結果を出力する。
【００１８】
図３は第１の実施形態による付加パターン生成回路１１１の構成を示すブロック図である。同図において、３０１は主走査カウンタ、３０２は副走査カウンタ、３０３は固有情報を収めたルックアップテーブル（以下「固有情報ＬＵＴ」という）、３０４は固有情報をドットパターンに変換するドットパターンルックアップテーブル（以下「ドットパターンＬＵＴ」という）をそれぞれ示している。
【００１９】
以上の構成による動作を簡単に説明する。主走査カウンタ３０１，副走査カウンタ３０２はそれぞれ画像信号の主走査方向，副走査方向のクロック信号に従ってカウント動作を行い、画像上の位置に対応して固有情報ルックアップテーブル３０３を参照する。固有情報ルックアップテーブルテーブルにはこの装置のシリアル番号が記憶されており、カウンタの値にしたがって繰り返しシリアル番号が出力される。このシリアル番号を元にしてドットパターンルックアップテーブル３０４が参照され、機種情報をドットパターンで表わした画像信号が生成される。濃度判定回路１１０によって真という判定結果が得られた場合には、生成された画像信号の出力は、通常の画像信号に付加することによる画像形成が行われる。
【００２０】
以上のようにして、イエロー（Ｙ）の画像信号に対して、所定のドットパターンを用いて識別情報を付加された出力画像は、後にリーダーやスキャナ等の読み取り手段によって読み取られると、イエロー成分だけを分版される。この分版されたイエロー成分から、付加した情報を抽出することができる。本実施形態においては、濃度判定回路１１０により、ドットパターンを付加する対象の画像信号が、ある一定値に収まっていると判定された場合に限って、付加動作が行われる。従って、例えば、ごく薄い濃度の画像領域など付加した画像が目立ちやすい部分に対してはパターンの付加を行わずに済むので、画像に対する劣化を回避することができる。
【００２１】
以上説明したように、第１の実施形態によれば、画像濃度を判定して所定の濃度範囲に収まっている場合に限って機種固有の情報を表わすパターンを画像に付加することにより、画像品位に与える影響を押えつつパターン付加が行えるという効果がある。なお、上述した実施形態では、イエロー（Ｙ）の画像信号に対して識別情報を付加する一例を説明したが、本発明はこれに限定されるものではなく、他の色の画像に対しても濃度判定を行い識別情報を付加してもかまわないし、複数の色に対して付加しても良いことは言うまでもない。
【００２２】
また、上述した実施形態では、濃度情報の判定を２値化する以前の画像信号を用いて行っているが、場合によっては２値化された後の信号を元にしても濃度判定は可能である。即ち、単位面積中のドット数を計数すれば平均的な画像濃度を求めることができる。
【００２３】
＜第２の実施形態＞
さて、前述の第１の実施形態においては、画像濃度に応じて情報を付加するかどうかを制御していたが、単に付加するかどうかを切り替えるだけでなく付加するドットパターンを選択するよう構成することも可能である。濃度判定回路のウィンドウコンパレータ部分とレジスタ部分をそれぞれ複数用意すれば、濃度判定を複数レベルにわたって行うことができる。付加するドットパターンを単位面積中に含まれるドット数の異なる構成で複数種類用意しておき、濃度レベルに応じて適切なパターンをセレクトすることにより、画像濃度に近いドットパターンを選択して付加することが可能である。これによって付加パターンをさらに目立たなくすることが可能である。
【００２４】
＜第３の実施形態＞
図５は第３の実施形態のフルカラー複写装置における画像処理部の構成を示すブロック図である。同図において、図１と同じ回路は同じ構成であるので説明は省略し、番号を５１０番台で示す。図１と異なる構成について、５０１は付加パターン生成回路、５０２は加算回路、５０３は駆動回路、５０４−１〜５０４−４はレーザダイオード、５０５は本装置全体を制御するＣＰＵ、５０６はＣＰＵ５０５が作動するためのプログラムを格納したＲＯＭ、５０７は各種プログラムをワークエリア及び各種パラメータの記憶エリアを有するＲＡＭをそれぞれ示している。
【００２５】
以上の構成による動作を説明する。図７は第３の実施形態による動作を説明するフローチャートである。以下の説明では、全体の制御をＣＰＵ５０５が受け持つが、個々の動作については、各回路で行われる。またＣＣＤラインセンサ５１１〜γ補正回路５１６までの動作は、図４に示すフローチャートの説明と同様のため、説明を省略し、γ補正回路５１６以降の動作を中心に説明する。
【００２６】
付加パターン生成回路５０１は、２５６レベルの階調を持った付加パターンのひとつを生成するときに、γ補正されたイエロー（Ｙ）の画像信号に従って、一レベルの階調を選択する。この付加パターン生成回路５０１で生成された付加パターンは、加算回路５０２において、γ補正回路５１６でγ補正されたイエロー（Ｙ）の画像信号に加算される（ステップＳ２１）。加算回路５０２では、加算処理と同時に加算結果のオーバーフローを判定する（ステップＳ２２）。該加算回路５０２がオーバーフローした場合に、最大濃度でクリップ動作が行われる（ステップＳ２３）。加算回路５０２によって付加パターンが加算されたイエロー（Ｙ）及び他の色の画像信号は、駆動回路５０３にてレーザダイオード５０４−１〜５０４−４を駆動する信号に変換される。この駆動信号によって、レーザダイオード５０４−１〜５０４−４が駆動し、そのレーザ光によって感光ドラム（図示せず）上にＣ，Ｍ，Ｙ，Ｋの潜像が形成され、その潜像をトナーにより現像することによりフルカラー画像が形成される（ステップＳ２４）。
【００２７】
図６は第３の実施形態による付加パターン生成回路の構成を示すブロック図である。同図において、６０１は主走査カウンタ、６０２は副走査カウンタ、６０３は固有情報を収めた固有情報ＬＵＴをそれぞれ示している。主走査カウンタ６０１，副走査カウンタ６０２はそれぞれ画像信号の主走査方向，副走査方向のクロック信号に従ってカウント動作を行い画像上の位置に対応して固有情報ＬＵＴ６０３を参照する。固有情報ＬＵＴ６０３には、この装置のシリアル番号が記憶されており、カウンタ値に従って繰り返しシリアル番号が出力される。さらに固有情報ＬＵＴ６０３には、イエロー（Ｙ）の画像信号、すなわち、濃度信号が入力され、その大きさに従って、生成する付加パターンが異なるように別のアドレスバンクが選択されるように作用する。入力される濃度信号は通常８ビット全ては必要なく、最上位の４ビットを使って１６バンクを選択するよう構成されている。もちろん必要に応じてこのバンク数はこれ以外の大きさにすることも可能であるし、より柔軟な濃度レベルの切り分けを行うために濃度からバンクを選択するための変換回路を追加することもできる。固有情報ＬＵＴ６０３においては、付加パターンが目立ちにくい高濃度部用のバンクには大きな値で、また低濃度部用のバンクには小さめな値で付加パターンを記憶しておく。この構成においては、濃度判定を固有情報ＬＵＴ６０３で兼用するものとなっている。
【００２８】
以上の様に、電子写真方式で出力を行う場合には、インクジェット方式とは異なり１画素の濃度（階調）が変えられる。このため画像濃度によって付加するパターンの濃度を可変することにより、どのような濃度の画像であっても肉眼では見えないが検出可能であるという最適な濃度レベルでパターン付加が可能となる。
【００２９】
さて、第１の実施形態では、濃度判定回路１１０は予め設定した上限値と下限値間に入る濃度に対してパターン付加を決定したが、本発明はこれに限定されるものではなく、付加パターン発生回路で生成できる付加パターンの種類を複数用意し、濃度判定回路１１０の判定結果を多値で表して、その多値によって付加パターンを選択する様にしても良い。この場合、ＡＮＤゲートに代わってセレクタを用意し、上記多値を選択信号として扱えば良い。
【００３０】
さて、図１において、付加パターン発生回路１１１のパターンを複数用意し、濃度判定回路１１０の判定結果を多値で表し、その多値の値によってパターンをＡＮＤゲートに代わるセレクタによって選択する様にしても良い。この場合、上限値と下限値間の濃度位置に対応してパターンを選択すれば良い。また、上記上限値，下限値は、例えばサービスモードにおいて、マニュアルで設定できるようにしてもよい。
【００３１】
以上説明したように、第１の実施形態から第３の実施形態によれば、画像濃度を判定して所定の濃度範囲に収まっている場合に限って機種固有の情報を表わすパターンを画像に付加することにより、画像品位に与える影響を押えつつパターン付加が行えるという効果がある。
【００３２】
＜第４の実施形態＞
図８は、本発明の第４の実施形態に係るフルカラー複写装置の画像処理部の構成を示すブロック図である。同図において、２１０１はＣＣＤラインセンサ、２１０２は画像処理回路、２１０３は２値化回路、２１０４はＲＯＭ、２１０５は変調回路、２１０６は濃度判定回路、２１０７はインクヘッドの駆動回路、２１０８はインクヘッド、２１０９はタイミング信号生成回路、２１１０は電源回路、そして、２１１１はＦＩＦＯである。
【００３３】
以上の構成による動作を簡単に説明する。ＣＣＤラインセンサ２１０１は、その読み取り方向に垂直な方向に、原稿に対して相対移動しながら、原稿から反射、もしくは透過してきた光を色分解したものを捕らえ、それを電気信号に変換する。こうして得られたフルカラーの色信号は、画像処理回路２１０２において信号処理を施した後、２値化回路２１０３にて疑似中間調処理による２値化を施す。また、濃度判定回路２１０６は、画像信号の濃度を判定し、付加情報を加える変調回路２１０５の動作を制御する。この変調回路２１０５はＲＯＭ２１０４の内容を参照し、その情報をもとに、２値化された画像信号のドット位置を変化させ、画像に付加情報を付け加える。
【００３４】
ＦＩＦＯ２１１１は、濃度判定回路２１０６における画像遅延を補償するために設けられている。変調回路２１０５で情報を付加された２値信号は、インクヘッド駆動回路２１０７で、各出力色別のインクヘッド２１０８を駆動することにより記録紙（不図示）上にインクを吐出させ、フルカラー画像の形成を行なう。また、タイミング信号生成回路２１０９は、基本となる画像クロック及びそれに伴なう各種のクロック信号、タイミング信号を生成して各部へ与える。なお、電源回路２１１０は、本画像処理部の各部に、その動作に必要な電力を供給するものである。
【００３５】
図９は、図８の画像処理回路２１０２の内部構成を示すブロック図である。同図において、２２０１はＡ／Ｄコンバータ、２２０２はシェーディング補正回路、２２０３は濃度変換回路、２２０４はマスキング・ＵＣＲ回路、２２０５はフィルタ回路、２２０６はγ補正回路である。ＣＣＤラインセンサ２１０１から入力された赤・緑・青（Ｒ，Ｇ，Ｂ）の色分解画像信号は、Ａ／Ｄコンバータ２２０１によりデジタル信号に変換され、シェーディング補正回路２２０２により光量分布やＣＣＤラインセンサ２１０１の感度ムラの補正を受けた後、濃度変換回路２２０３によって明暗の信号ＲＧＢからシアン・マゼンタ・イエロー（Ｃ，Ｍ，Ｙ）の濃度信号へと変換される。
【００３６】
マスキング・ＵＣＲ回路２２０４は、ＣＭＹ信号から黒信号（Ｋ）を生成するとともに、色補正のためのマスキング演算と下色除去（ＵＣＲ）を実行する。こうして得られたＣＭＹＫの信号に対して、フィルタ回路２２０５は、エッジ強調あるいはスムージング処理を行ない、γ補正回路２２０６からの出力の非線型性を補正する。
【００３７】
以上の如く処理される信号、及びその結果得られる信号は、図１０に示すように、ＲＧＢまたはＣＭＹＫの各色の信号が連続しているものであり、ＲＧＢ信号の場合は、非画像信号区間（図中のＸ）を含み、それぞれ４クロックで１画素の色分解信号を形成し、カラーセレクト信号ＣＳＥＬ１，０に同期して切り替わる。これらの信号の基本周期は、画像クロックＶｃｋにより規定され、ラインごとの繰り返し周期は、周期信号Ｈｓｙｎｃで規定される。また、画像信号に、付加情報の付加位置を示すマークラインを挿入するラインではＭａｒｋ信号が、画像信号を変調するラインではＣｏｄｉｎｇ信号が、それぞれの該当するラインを識別するために供給される。
【００３８】
また、タイミング信号生成回路２１０９は、付加情報の生成のために必要となるＲｅｓｅｔ信号およびＵｐ／Ｄｏｗｎ信号も生成し、供給している。副走査方向に生成されるＣｏｄｉｎｇ，Ｍａｒｋ，Ｒｅｓｅｔ，Ｕｐ／Ｄｏｗｎの信号は、画像出力中に一定周期で繰り返し生成され、それに従って、画像信号中に情報が繰り返し付加される。
【００３９】
タイミング信号生成回路２１０９の初期値を、複写動作ごとに同一値にリセットしないことによって、画像中に情報が付加される位置を一定にしないよう動作する。このように、タイミング信号生成回路２１０９は、一連のタイミング信号を供給し、装置全体が画像信号に関して同期して動作している。ここで、タイミング信号生成回路２１０９について、その詳細を説明する。
【００４０】
図２１は、タイミング信号生成回路２１０９の構成を示すブロック図である。同図において、１４０１−１，１４０１−２はカウンタであり、１４０２−１，１４０２−２はルックアップテーブルである。カウンタ１４０１−１は、主走査方向のタイミング信号を生成するためのものであり、ＨｓｙｎｃによりリセットされてからＶｃｋをカウントして、その出力によりルックアップテーブル１４０２−１を参照する。
【００４１】
ルックアップテーブル１４０２−１は、ＲＯＭまたはＲＡＭであって、内部にラインの先頭から順番に生成するべきＣＳＥＬ０，ＣＳＥＬ１，Ｈｓｙｎｃのパターンが書き込まれており、カウンタからの参照にしたがって順番にタイミング信号を生成する。一方、カウンタ１４０１−２及びルックアップテーブル１４０２−２は、副走査方向にタイミング信号を生成するものであり、Ｈｓｙｎｃをカウントすることによって主走査方向と同様な動作を副走査方向に関して行なう。このとき、主走査方向と異なり、複写動作ごとにカウンタ１４０１−２を一定値にリセットしないことによって、出力ごとに副走査方向の情報付加位置が一定の場所にならないよう動作する。
【００４２】
なお、複写動作ごとにカウンタ１４０１−２の初期値を設定し直して、情報付加位置が一定にならないように操作するよう構成することも可能である。このようにして情報を繰り返し付加し、かつ、付加する位置を、複写動作ごとに分散することで、特定のインクヘッドの動作不良や画像濃度が情報付加には不適当な領域があった場合でも、出力画像のいずれかによって付加情報を復元できる可能性を増すことができる。特に、インクヘッドのノズル数と繰り返し周期とを互いに素な関係にすることは効果的である。
【００４３】
図１１は、変調回路２１０５の内部構成を示す図である。同図において、２４０１はドット位置修正回路、２４０２はマーク付加回路、２４０４−１，２４０４−２はセレクタ、２４０３−１，２４０３−２はＡＮＤゲートである。入力された画像信号は、ドット位置修正回路２４０１とマーク付加回路２４０２へそれぞれ供給され、セレクタ２４０４−１は、濃度判定信号及びＣｏｄｉｎｇ信号の論理積に応じて画像信号自身、またはドット位置修正回路２４０１によりドットの位置を修正された画像信号のいずれかを選択する。
【００４４】
一方、セレクタ２４０２−２は、セレクタ２４０４−１の出力とマーク付加回路２４０２の出力を濃度判定信号及びＭａｒｋ信号の論理積に従って選択する。従って、濃度判定信号が論理“０”、すなわち、濃度が適切でない場合はセレクタ２４０４−１，２４０４−２のＡ側が選択され、画像信号がそのまま無修正で出力される。
【００４５】
図１２は、ドット位置修正回路２４０１の構成を示すブロック図である。同図において、２５０１−１〜２５０１−１２はＤフリップフロプ、２５０２はセレクタ、２５０３は排他的論理和（ＸＯＲ）ゲート、２５０４−１，２５０４−２はインバータ、２５０１−１〜２５０５−３はＡＮＤゲートである。Ｄフリップフロプ２５０１−１〜２５０１−１２には、画像クロックＶｃｋがクロックとして与えられる。また、セレクタ２５０２には、画像信号自身とそれをＤフリップフロプ２５０１−１〜２５０１−４で遅延させたものが入力される。
【００４６】
上述のように、本実施形態に係る画像処理部では、画像信号はＲＧＢＸ、またはＣＭＹＫの４クロック周期からなる単位にて１画素の情報を表現しているので、セレクタ２５０２に入力される遅延された側の画像信号は、例えば、それがＣであればＣと同じ色の信号で、１画素分だけの遅延量を持ったものとなる。従って、セレクタ２５０２で、遅延のない通常の画像信号側（Ａ側）を選択するか、あるいは遅延を持たせた側（Ｂ側）の画像信号を選択するかにより、出力されるドットの印字位置が１ドット分だけ変化する。
【００４７】
Ｃｏｄｉｎｇ信号が付加されていない場合は、ＡＮＤゲート２５０５−２の出力が論理０となり、ドット位置修正は行なわれない。Ｃｏｄｉｎｇ信号が与えられた場合、ドット位置を修正するか否かは、ＸＯＲゲート２５０３の出力及び画像信号入力の論理積で決まる（ＡＮＤ２５０５−２）。そして、ＲＯＭ２１０４から読み出された付加情報のビットの１／０（奇数間隔のとき１、偶数間隔のとき０）とＤフリップフロプ２５０１−８の出力のインバータ２５０４−３による反転とが一致していない場合、ドット位置の修正動作が実行される。また、Ｄフリップフロプ２５０１−５〜２５０１−８、及びインバータ２５０４−１は１ビットのカウンタを構成しており、４クロック単位でカウント動作を行なう。すなわち、入力される画像信号の色と同期してカウント状態がＤフリップフロプ２５０１−８から出力される。
【００４８】
いま、一つの色について考えると、セレクタ２５０２の出力が論理“１”になったとき、ＡＮＤゲート２５０５−１の出力は論理“０”となってリセットがかけられ、その時点を基準にして経過したＶｃｋ／４（これは、画素数に相当する）が奇数か偶数かを表現したものをカウンタの内容として保持することとなる。この情報とＲＯＭ２１０４からの付加情報をＸＯＲゲート２５０３で比較し、両者が一致しない場合にドット位置の修正動作を行なわせる。
【００４９】
以上の構成により、ＲＯＭ２１０４からの付加情報の１／０に応じて、出力される画像信号中のドット間隔の奇数／偶数が制御されることになる。なお、ＲＯＭ２１０４から出力される付加情報は１ライン単位で変化するものであり、この結果、変調が行なわれた場合のドット間隔は、１ライン中で全て奇数間隔、もしくは偶数間隔のいずれかに統一されることになる。一例として奇数間隔のラインを生成する場合の処理を表形式で図１３に示す。
【００５０】
図１４は、マーク付加回路２４０２の内部構成を示すブロック図である。同図において、２６０１はカウンタ、２６０２−１〜２６０２−４はＤフリップフロプ、２６０３−１，２６０３−２はＡＮＤゲート、２６０４はＯＲゲートである。Ｄフリップフロップ２６０２−１〜２６０２−４には、画像クロックＶｃｋがクロックとして与えてある。
【００５１】
上記構成において、Ｍａｒｋ信号が与えられない場合は、ＡＮＤゲート２６０３−１の出力が常に論理“０”になるので、画像信号に対してマーク付加、すなわち、変更は行なわれない。また、Ｍａｒｋ信号が与えられた場合は、以下のようにして画像信号の変更（修正）が行われる。すなわち、カウンタ２６０１は、カラーセレクト信号に従って画像信号の各色別にドットの個数をカウントする４進カウンタであり、該当する色についてキャリーを出力に送り、各色ごとにそれぞれドットを４つ印字する度にキャリーを発生する。このキャリー信号と４クロック、つまり、１画素分遅延した画像信号についてＡＮＤゲート２６０３−２で論理積をとり、ＯＲゲート２６０４にてもとの画像信号に付加される。この結果、各々の色に４ドットおきにドットが２つつながって出力されることになる。
【００５２】
図１５は、変調回路２１０５により変調が行われた場合、一つの色についての画像信号の変化の様子を示す図であり、図中、黒丸の部分が記録紙上にインクを吐出して印字を行なう画素に相当する。図１５の（ａ）は、ドット位置修正を行なった場合を示しており、修正後のドット間隔は、１ライン単位で偶数ドット、または奇数ドットのどちらかに揃ったものとなる。同図においては、１ライン目の中では２つ目および３つ目のドットがそれぞれ１ドット分、横方向にシフトしており、ＲＯＭ２１０４の出力データにドット間隔の偶数，奇数を合わせている。
【００５３】
また、図１５の（ｂ）は、マーク付加が行われた場合の画像信号であり、Ｍａｒｋ信号が与えられてマークラインとなったラインは、４ドットおきにドットが２つ続けて現われる。このように画像信号を変調することで、画像中にシリアル番号及びマークが付加される。よく知られているように、誤差拡散法で２値化された２値信号は、特にハイライト部分の画像濃度の低い領域では適度に分散してドットが存在し、ドットが２つ連なって現われることは極めて稀である。従って、一定個数のドット毎にドットが２個ずつ連なっているラインは、出力画像を拡大することによりライン状に連なったドットが並んでいるのを容易に見つけることができる。
【００５４】
図１５は、濃度判定回路２１０６の構成を示すブロック図である。同図において、２８０１−１，２８０１−２はＦＩＦＯ、２８０２−１〜２８０２−６はＤフリップフロップ、２８０３はＮＯＲゲートである。上記の２値化回路２１０３により２値化された信号が濃度判定回路２１０６に入力されると、ＦＩＦＯ２８０１−１，２８０１−２で１ラインずつ遅延され、本濃度判定回路２１０６では、３ライン分のデータが同時に処理可能となる。
【００５５】
つまり、ここでは、２値化回路２１０３からの信号をＤフリップフロップ２８０２で１クロックずつ遅延し、３×３画素の画像信号が得られる。そして、この信号をＮＯＲゲート２８０３に入力することにより、注目画素の周囲の３×３画素の領域に他のドットが存在するか否かが判定可能となる。仮に、この領域に他のドットが存在した場合は、ＮＯＲゲート２８０３の出力は論理“０”となり、変調回路２１０５内での変調動作が行なわれず、画像はそのまま出力される。これにより、高濃度部には変調がかからず、変調による画質の劣化を防止することができる。
【００５６】
図１７は、本実施形態に係る画像処理部のＲＯＭ２１０４の参照方法を示す図である。同図において、カウンタ２９０１はアップダウンカウンタであって、Ｕｐ／Ｄｏｗｎ信号に従ってＨｓｙｎｃをカウントアップ、もしくはカウントダウンする。そして、その出力をＲＯＭ２９０２のアドレス入力（ａｄｒｓ）へ与えることにより、画像信号の１ラインごとに付加情報を１ビットずつＲＯＭ２１０４から出力する動作が行われ、この付加情報に基づいて変調回路が動作する。
【００５７】
本画像処理部では、図１０に示したようなタイミングでＲｅｓｅｔ信号、及びＵｐ／Ｄｏｗｎ信号が与えられると、最初にＲｅｓｅｔ信号によってリセットされたときから順次、Ｈｓｙｎｃ信号をカウントアップし、Ｍａｒｋ信号が入力された後に、Ｕｐ／Ｄｏｗｎ信号がダウンカウントに切り替わるため、次にカウントダウンが行なわれる。このため、カウンタ２９０１が出力するアドレスは０から始まり、１ラインごとに１づつ増加して、Ｍａｒｋ信号以降は、再び０に向って減って行く。そして、アドレスが０に戻った時点でＣｏｄｉｎｇ信号が０になり、付加情報を画像に加える操作が終了する。
【００５８】
以上の動作により、Ｍａｒｋ信号が与えられるラインを挟んで前後のラインがＲＯＭ２１０４を参照するアドレスは対称なものになるので、図２１に示すように、マークラインの前後に対称に付加情報が存在する。このため、マークラインを見つけさえすれば、それを基準にしてどの方向へ付加情報の読み取りを行なっても、全く同じ情報を得ることが保証される。また、タイミング信号は繰り返し生成されるので、同一画像中に同じ付加情報が繰り返し加わることになる。
【００５９】
なお、ＲＯＭ２１０４に格納された情報は、装置の機種のシリアル番号などの固有情報とともにチェック用の情報を含むものである。ここでのチェック用情報とは、後に出力画像から付加情報を復元するに当たって、復元された情報の信頼性を保証するために用いられるコードを示し、一般的なチェックサム、またはＣＲＣ符号などによる誤り検出・訂正符号であって、あらかじめ固有情報から演算してＲＯＭに記憶されている。
【００６０】
また、付加情報を出力画像から読み取る際、マークラインを基準にして符号が存在すると推定された領域についてドット間隔を判定し、情報の復元を試みる。このときチェック情報との整合性を調べることにより、最終的にもとの付加情報を検出したことが確認される。以上説明したように、本実施形態によれば、画像濃度が付加する情報に適したものと判定された画像領域について、ＲＯＭに記憶された情報を１ライン単位でドット間隔を変調して画像信号中に情報を付加するとともに、情報の付加位置を示すためのマークとなるラインを設けることにより、付加情報を抽出する際に該当する箇所を容易に発見でき、また、その領域中のドットの並びを測定することにより付加された情報を容易に復元できるという効果がある。
【００６１】
＜第５の実施形態＞
以下、本発明に係る第５の実施形態について説明する。上記第４の実施形態では、付加する情報は、あらかじめ用意されたＲＯＭに記憶されたものを用いたが、ここでは他の与え方をする。図１８は、本発明の第５の実施形態に係るフルカラー複写装置の画像処理部の構成を示すブロック図である。同図において、図８に示す画像処理部と同一構成要素には同一符号を付し、それらの説明は省略する。そこで、図８と異なる構成について説明する。
【００６２】
図１８において、１０００はＣＰＵ、１００１は、ＣＰＵ１０００が動作するためのプログラムを格納したＲＯＭ、１００２は、ＣＰＵ１０００が動作するときに使うワークエリアなどの記憶エリアを有するＲＡＭ、１００３は画像信号を取り込んで記憶するＲＡＭ、１００４は付加すべき情報を書き込むＲＯＭ、そして、１００５は装置の動作を指示する操作部である。
【００６３】
ＣＰＵ１０００は、画像信号の読み取りと、付加情報をＲＡＭ１００４へ書き込むなどの動作を行なう。また、ＲＡＭ１００３は画像信号を記憶し、ＣＰＵ１０００からアクセスが可能である。なお、ＲＡＭ１００４は、上記第４の実施形態に係る画像処理装置でのＲＯＭに替わり、それをＲＡＭにて構成したもので、図１７のＲＯＭをＲＡＭに置き換えたものである。そして、ＣＰＵ１０００から、その内容を自由に書き換えることができる。
【００６４】
そこで、以上の構成をとる本フルカラー複写装置の動作を説明する。図１９は、本実施形態に係るフルカラー複写装置の動作を示すフローチャートである。本フルカラー複写装置では、全ての複写動作を行なう前に、パターンとして装置内に持つ付加すべき情報を読み込む。本装置では、このパターンをバーコードのような形態で用意しており、通常の標準白色版の一部、もしくはＣＣＤラインセンサ上の画像領域外に張り付けられている。そして、このデータを読み取ったものをＲＡＭ１００３に書き込んで、画像としての取り込みを行なう。続いて、ＣＰＵ１０００は、ＲＡＭ１００３をアクセスし、読み取った画像データから付加すべき情報を抽出する（ステップＳ１０１）。
【００６５】
続いて、読み取りの誤りや付加パターンに対する改竄が成されていないかを調べるために、パターンのデータ部分からチェックデータを演算して求める（ステップＳ１０２）。この演算で求めたチェックデータとパターンのチェックデータ部分を比較することにより（ステップＳ１０３）、正しい情報が読み取れているかどうかを判定する（ステップＳ１０４）。このステップＳ１０４で、正しいデータではないと判断された場合は、サービスマンコールを表示して以後の動作を中止する。しかし、ステップＳ１０４で正規のデータであることが確認されたならば、付加すべき情報をＲＡＭ１００４に書き込んだ後（ステップＳ１０５）、通常の複写動作のモードへと移行する。
【００６６】
なお、上記の動作は、複写動作ごとに行なう必要はなく、通常は、電源投入直後の自己診断の一環として行なえばよい。また、一度ＲＡＭ１００４に情報を設定した後の複写動作は、上記第４の実施形態と同じであるので、その説明を省略する。図２０は、本実施形態に係るフルカラー複写装置において、付加情報を画像読み取りユニット部１２０１に実装した様子を示す図である。ここでは、画像読み取り部は、原稿を置く原稿台１２０２の内側をＣＣＤラインセンサ２１０１が走査する機構となっており、通常のシェーディング動作に使用する標準白色版は、ＣＣＤラインセンサのホームポジション近傍に設けられている。そして、その標準白色版の一部分に、付加すべき情報をＣＣＤラインセンサで読み取れるような符号で書き込んでおく。ここでは、上述のように公知のバーコードによる符号化を行なっており、図１９に示すフローチャートのステップＳ１０１では、この符号を読み込んで情報の取得を行なっている。
【００６７】
以上説明したように、本実施形態では、画像パターンとして与えられた付加情報を読み取ってから設定する方式をとって、付加情報を画像処理部の外部に持たせることで、装置の修理などによる回路の交換が発生しても、常に同一の付加情報を保持できるように構成できる。なお、付加情報の一部を、例えば、装置の操作部１００５のキー入力手段から設定するようにしてもよい。
【００６８】
＜変形例＞
上記各実施形態においては、いずれも、あらかじめ定められた情報を付加するようにしたが、第５の実施形態に係る装置のように、付加情報を一度ＲＡＭテーブルに書き込むことによって付加するという方式をとれば、処理実行時に、付加する情報を加工することができる。すなわち、装置のシリアル番号のみならず、例えば、装置の時計機構を内蔵しておくことで情報の印字日時をコード化して付加したり、複写装置で用いられる磁気カード，ＩＣカード，ＩＤカードなどのコントロールカードなどのユーザを識別するための手段と併用して使用者の情報を付加することができる。
【００６９】
また、装置がファクシミリ装置の場合であれば、例えば、電話番号を付加したり、情報を柔軟に出力画像中に付加することが可能となる。上記各実施形態においては、いずれも１ライン全体に渡って変調を行なうものとしたが、必ずしも１ライン全部の変調を行なう必要はなく、例えば、ライン上の一部分に限って変調動作を実行しても構わない。また、変調する方向もＣＣＤラインセンサの読み取り方向に限定されるわけでなく、例えば、それに直交する方向に変調を行なっても、発明の本質に関わる違いは生じないのは言うまでもない。
【００７０】
さらに、ドット間隔を変更する方式において、ドット間隔の変更は偶数、奇数による区別以外の方式であっても構わない。また、上記各実施形態では、濃度判定は２値化後の信号に基づいて行なっているが、２値化前に多値信号を用いて濃度判定を行なうようにしてもよい。上記各実施形態では、本発明をフルカラー複写装置に適用した例を示したが、適用対称となる装置は複写装置に限定されるものではなく、２値画像による出力を行なうものであれば基本的に実施可能であり、例えば、ファクシミリ装置やプリンタ装置に適用することも可能である。
【００７１】
また、上述の各実施形態では、Ｃ，Ｍ，Ｙ，Ｋのデータがシリアルに伝送されたが、Ｃ，Ｍ，Ｙ，Ｋについて独立して２値化処理回路を持つことでパラレルの画像処理を行うこともできる。この場合には、上述の変調回路をＣ，Ｍ，Ｙ，Ｋの各色について持つようにすればよい。また、付加情報は、装置のシリアル番号に限らず、例えば、複写日時，複写した人物のＩＤコードなどの情報であってもよい。
【００７２】
また、上述の各実施形態では、２値のドットデータを変調したが、２値のドットに限らず、多値のドットであってもよい。さて、上述の実施形態では、入力手段であるイメージリーダーによって原稿を読み取って画像データを発生させたが、入力手段はイメージリーダに限らず、スチルビデオカメラ、ビデオカメラ、ホストコンピュータ等でも良い。
【００７３】
また、出力手段として、レーザビームプリンタ、インクジェットプリンタに限らず、熱転写プリンタ、ドットプリンタ等でも良い。特に、熱エネルギによる沸騰を利用して液滴を吐出させるタイプのバブルジェット（登録商標）方式のプリンタでも良い。尚、本発明は、複数の機器から構成されるシステムに適用しても、１つの機器から成る装置に適用しても良い。また、本発明はシステム或は装置にプログラムを供給することによって達成される場合にも適用できることは言うまでもない。
【００７４】
また、上述の実施形態の組み合わせは、本発明の思想に含まれる。なお、本発明は、複数の機器から構成されるシステム例えば、スキャナ，ホストコンピュータ，プリンタ等の一連のシステムに適用しても１つの機器から成る装置例えば複写機に適用しても良い。
【００７５】
【発明の効果】
以上説明したように、本発明によれば、２値化された画像信号に対してドット間隔を変調して所定の情報を付加し、さらにその付加位置を示すマークを設けることで、出力画像からの付加情報の特定を容易に行なえるという効果がある。また、所定情報の付加ドット間隔の特定を容易に行なうことで、画像信号の劣化を抑えて情報を付加することができるという効果がある。
【図面の簡単な説明】
【図１】第１の実施形態のフルカラー複写装置における画像処理部の構成を示すブロック図である。
【図２】第１の実施形態による濃度判定回路１１０の構成を示すブロック図である。
【図３】第１の実施形態による付加パターン生成回路１１１の構成を示すブロック図である。
【図４】図４は第１の実施形態による動作を説明するフローチャートである。
【図５】第３の実施形態のフルカラー複写装置における画像処理部の構成を示すブロック図である。
【図６】第３の実施形態による付加パターン生成回路の構成を示すブロック図である。
【図７】第３の実施形態による動作を説明するフローチャートである。
【図８】本発明の第４の実施形態に係るフルカラー複写装置の画像処理部の全体構成を示すブロック図である。
【図９】第４の実施形態に係る画像処理回路２１０２の内部構成を示すブロック図である。
【図１０】第４の実施形態に係る画像信号のタイミングチャートである。
【図１１】第４の実施形態に係る変調回路２１０５の構成を示すブロック図である。
【図１２】第４の実施形態に係るドット位置修正回路２４０１の詳細構成ブロック図である。
【図１３】第４の実施形態による奇数間隔のラインを生成する場合の処理を表形式で示す図である。
【図１４】第４実施形態に係るマーク付加回路２４０２の詳細構成ブロック図である。
【図１５】第４実施形態に係る変調回路２１０５の動作による画像信号の変化を説明する図である。
【図１６】第４実施形態に係る濃度判定回路２１０６の構成を示すブロック図である。
【図１７】第４実施形態に係るＲＯＭ２１０４の構成を示すブロック図である。
【図１８】本発明の第５の実施形態に係るフルカラー複写装置の画像処理部の構成を示すブロック図である。
【図１９】第５の実施形態に係る装置の動作を説明するフローチャートである。
【図２０】第５の実施形態に係る付加情報の入力方式を説明するための図である。
【図２１】第５の実施形態において画像中に付加される情報の様子を模式的に表わす図である。
【図２２】第５の実施形態に係るタイミング信号生成回路２１０９の構成を示すブロック図である。
【符号の説明】
１０１，５１１，２１０１ ＣＣＤラインセンサ
１０２，５１２ Ａ／Ｄコンバータ
１０３，５１３ シェーディング補正回路
１０４，５１４ 濃度変換回路
１０５，５１５ マスキング・ＵＣＲ回路
１０６，５１６ γ補正回路
１０７，２１０３ ２値化回路
１０８，５０３，２１０７ 駆動回路
１０９−１〜１０９−４，５０４−１〜５０４−４，２１０８ インクヘッド
１１０，２１０６ 濃度判定回路
１１１，５０１ 付加パターン生成回路
１１２，５０５，１０００ ＣＰＵ
１１３，５０６，１００１，２１０４ ＲＯＭ
１１４，５０７，１００２，１００３，１００４ ＲＡＭ
１１５ ＡＮＤゲート
１１６ ＯＲゲート
５０２ 加算回路
２１０２ 画像処理回路
２１０５ 変調回路
２１０９ タイミング信号生成回路
２１１０ 電源回路
２１１１ ＦＩＦＯ
【図１】
0003715946.tif 000002
【図２】
0003715946.tif 000003
【図３】
0003715946.tif 000004
【図４】
0003715946.tif 000005
【図５】
0003715946.tif 000006
【図６】
0003715946.tif 000007
【図７】
0003715946.tif 000008
【図８】
0003715946.tif 000009
【図９】
0003715946.tif 000010
【図１０】
0003715946.tif 000011
【図１１】
0003715946.tif 000012
【図１２】
0003715946.tif 000013
【図１３】
0003715946.tif 000014
【図１４】
0003715946.tif 000015
【図１５】
0003715946.tif 000016
【図１６】
0003715946.tif 000017
【図１７】
0003715946.tif 000018
【図１８】
0003715946.tif 000019
【図１９】
0003715946.tif 000020
【図２０】
0003715946.tif 000021
【図２１】
0003715946.tif 000022
【図２２】
0003715946.tif 000023